(57)【要約】      （修正有）【課題】薬袋の所在も分からなければ、飲む必要のある薬があることも分からない一人暮らしの認知症患者であっても、電話で注意を促すことで適量の服薬が可能な装置を提供する。【解決手段】認知症患者用の薬供給装置にあって、直ぐ分かるように全体の形状が動物の形状を程し、適度な弾力を持つ上板６に開いた穴と、落下口の開いた下板８との間にＰＴＰ包装された薬剤が個別に保持され、２４時間タイマー４に設定された時刻になると自動的に上板６が回転し、落下口に移送され、一回分の薬剤が重力で薬物トレイ１６に供給される認知症対応薬供給装置。【選択図】図２
2008168014.tif 000002
【特許請求の範囲】
【請求項１】
認知症患者用の薬供給装置にあって全体の形状が動物の形状を程し、患者の注意を言葉によって装置に向けさせることが容易にできる認知症対応薬供給装置。
【請求項２】
適度な弾力を持つシート状の円板、もしくは多角形板の上板６に穴があり、その穴に薬物が入ってＰＴＰ包装のつば部分を下板８に押さえつけ、容易に散乱しないように保持する保持手段と、上板６を回転することにより薬物を同心円上に移動し、下板８に開いた落下口まで移送する移送手段と、２４時間タイマー４により一日一回以上の繰り返し動作が可能で、センサー７・９によって上板６の回転量を検出し、一回の投薬分のみが供給されるように制御する制御手段と、上板６に開ける穴を中心線上、もしくは近隣に追加することで、複数の薬物を同時に供給できる複数薬物供給手段とを具備することを特徴とする認知症対応薬供給装置。
【発明の詳細な説明】
【技術分野】
【０００１】
本発明は、服用すべき薬があることが分からない認知症患者用の薬供給装置に関する。
【背景技術】
【０００２】
従来の薬箱や供給装置はハンドルやレバー操作によって薬を取り出す作業を必要としている（例えば特許文献１〜４参照。）。
【０００３】
薬がタイマーによって自動的に供給される装置もあるが、朝・昼・晩・寝る前の複数が同時に供給されるので、選択という知的作業を必要としている（例えば特許文献５参照。）。
【０００４】
タイマーを使用している装置はその殆どが警報を発するものであり、記録のために使用している例もあるが、医師が服薬状況を管理するためのものである（例えば特許文献６〜７参照。）。
【０００５】
タイマーによってカプセルに入った薬を供給する装置もあるが、装置は複雑で大型である。（例えば特許文献８参照。）。
【０００６】
人形を程した形状の装置もあるが、看護士を想定しており、特徴のある形態とはいえない（例えば特許文献９参照。）。
【特許文献１】特開２００６ー１８７３２１号公報
【特許文献２】特開２００５ー２７０６０２号公報
【特許文献３】実用新案登録第３０８５７３４号公報
【特許文献４】特開２００３ー２１０５５１号公報
【特許文献５】特開２００４ー０００４８９号公報
【特許文献６】特開２００２ー３５５２９４号公報
【特許文献７】特開２００２ー３６２６５２号公報
【特許文献８】特開平０９ー２５３１７２号公報
【特許文献９】特開平０５ー１８４６４６号公報
【発明の開示】
【発明が解決しようとする課題】
【０００７】
以上に述べた従来の薬箱、あるいは供給装置は、患者がボタン操作やレバー操作によって取り出しをする作業をしたり、あるいは一度に朝・昼・晩の供給をして、患者に選択をさせたりする知的作業を伴うものである。このため、飲む必要のある薬があると認識できる人には有効であるが、記憶や認識に障害のある人は、自主的に服薬することは困難となる。
【０００８】
音や光・振動によって警報を発する装置もあるが、警報と服薬の関連付けが認知症患者には難しい。例えば警報音が聞こえれば、警報を止めようと装置そのものの動作を止める行動をとると予想される。
【課題を解決するための手段】
【０００９】
全体の形状を、身近で幼い時の記憶にある動物の形状にすることで、他の物との区別を明確化する。たとえば鼻の長いゾウや、首の長いキリン、甲羅を背負った亀、耳の長い兎、猫顔の猫など、種の持つ固有の形を装置に程することで、言葉と装置との関連づけを助けることにより、患者の注意を言葉によって装置に向けさせることができる。意識が装置に向けられれば、患者は自動的に供給された薬剤を飲む作業だけに単純化される。
【００１０】
薬剤の保持は、適度な弾力のシート状の円板、もしくは多角形板で構成される上板６に穴があり、その穴に薬物が入ってＰＴＰ包装のつば部分を下板８に押さえつけて保持しておく。
【００１１】
認知症の患者においてはＰＴＰ包装のまま服用してしまった例もある。このような患者に対応するには、薬物を包装から取り出して上板６の穴の部分に保持することも可能である。
【００１２】
薬剤の供給は、２４時間タイマー４に設定された時刻になると上板６を回転することにより薬物を同心円上に移動する。上板６の上部あるいは側部に取り付けられたドッグとセンサー７・９によって上板６の回転量を検出し、一回の投薬分のみが下板８に開いた落下口から落下することによって薬物トレイ１６に飲むべき薬のみが供給されるように制御する。
【００１３】
センサーは接触型・非接触型のどちらでも良いがＰＴＰ包装にはアルミ箔が使用されているので光学的なセンサーは誤動作が懸念される。
【００１４】
上板の回転は、中心軸の回転の他に外周をベルトやチェーン、歯車などによる接線方向への力を加えることでも可能である。
【００１５】
患者が服用すべき薬剤が複数の場合には、上板６に開ける穴を中心線上、もしくは近隣に追加することで、複数の薬物を同時に供給できる。
【００１６】
薬物トレイ１６は解放または透明なカバーで覆われており、視覚または触覚で飲むべき薬物が確認できる。
【００１７】
患者への注意喚起は対面で行うか、電話によって行うが、発音の変化によって薬物が口の中に入っているかどうかを確認できる。
【発明の効果】
【００１８】
上述したように本発明の認知症対応薬供給装置は、介護者が電話で服薬の注意喚起を促すだけで、患者が薬物を口に入れることができる。薬物の定期的な定量投与によって医療効果を期待できるだけでなく、介護認定区分の進行を遅らせることが期待される。また、介護者や家族の服薬のための負担軽減は非常に大きい。
【発明を実施するための最良の形態】
【００１９】
以下、本発明の実施形態を図１・図２に基づいて説明する。
【００２０】
図１は、装置全体の外形を示したものである。本実施例では、子供でもその特徴を把握し、好き嫌いの少ない動物としてゾウを選択している。
【００２１】
図２において１は、動物の頭部を程した作り物である。
【００２２】
８は、下板で正面に落下口が開いていて、６の上板との間にＰＴＰ包装のつば部分を挟み薬物を保持する。６の上板は、薬物を保持する穴が開いている他に回転角度を検出するためのドックが取り付けられている。
【００２３】
薬物の充填は、上板６を持ち上げ下板８とに出来た間隙に挿入し、穴まで押し込むことで可能である。包装から出した場合は上板６の上より穴に落とし込むことで完了する。
【００２４】
４は２４時間タイマーで、設定された時刻になると通電して動作を開始する。通常の動作時間は数秒であるので１分の通電で充分な時間である。
【００２５】
１２はアクチュエータのモーターと減速機で、通電されるとモータが回転をはじめ、上板６を駆動して薬物を移送する。
【００２６】
７と９はセンサーで、ドッグに反応して上板の回転量を検出する。検出信号は３の制御ユニットで処理されアクチュエータのモータ・減速機１２を稼働、停止し、一回の服用するべき量の薬物を供給する。本発明の実施例の場合は８分の１回転の回転量が必要である。
【００２７】
薬物が下板８の落下口上に移送されると、重力作用によって落下し、薬物トレイ１６に誘導される。ゾウの頭部１は誘導の手段にもなっている。
【００２８】
２は電源ユニットで、商用電源から制御ユニット３とアクチュエータであるモータ・減速機１２へのエネルギー供給を行う。
【００２９】
５はカバーで、薬物を埃から保護したり、機構を見えないようにして患者が直接触ったりしないようにし、動物の外形を程している。
【００３０】
服用する薬物が複数の場合、上板６に開ける穴を中心線上、もしくは近隣に追加することで、複数の薬物を同時に供給できる複数薬物供給手段を特徴とする認知症対応薬供給装置である。
【実施例】
【００３１】
電話の脇に装置を設置し、朝６時に薬が供給されるようにタイマーを設定し、７時に電話によって装置であるゾウさんの前のトレイに薬があるかどうかを訊ねる。あれば供給された薬が服用されていないので、口に入れるように服用を促す。会話をして発音の変化によって服用の確認をする。
【００３２】
装置を使用する前の２ヶ月間は飲まなかったり、定量の３倍の量を一度に服用したりしたこともあった。また電話をすると服用を催促されていると思い込んで重ね飲みをしてしまった。
【００３３】
この装置を使用してからの３ヶ月間は、重ね飲みをしたことはなく、飲み忘れもない。毎日このようにして離れた所に居る認知症患者に服薬してもらい、同時に安否確認をしている。
【図面の簡単な説明】
【００３４】
【図１】認知症対応薬供給装置の全体図
【図２】同装置の展開図
【符号の説明】
【００３５】
１  動物の頭部
２  電源ユニット
３  制御ユニット
４  タイマー
５  カバー
６  上板
７  センサー１
８  下板
９  センサー２
１０  しっぽ
１１  後ろ足
１２  モータ・減速機
１３  右前足
１４  左前足
１５  ベース板
１６  薬物トレイ
【図１】
2008168014.tif 000003
【図２】
2008168014.tif 000004